(57)【要約】【課題】安定した操業を為しえると共に放射性廃棄物を低減する高レベル放射性廃液の供給方法及びその供給設備を提供する。【解決手段】高レベル放射性廃液から高レベル放射性物質を分離するよう抽出クロマトグラフィーカラム２に高レベル放射性廃液を供給する高レベル放射性廃液の供給方法であって、  高レベル放射性廃液を溜める供給タンク３に第一供給ライン５より高レベル放射性廃液を供給し、供給タンク３に気体導入手段１１から圧縮気体を導入して抽出クロマトグラフィーカラム２での差圧に対応するよう高レベル放射性廃液に圧力を付与し、高レベル放射性廃液を気体導入手段１１に非接触で供給タンク３から第二供給ライン６を介して抽出クロマトグラフィーカラム２へ供給する。【選択図】図１
2010002312.tif 000002
【特許請求の範囲】
【請求項１】
高レベル放射性廃液から高レベル放射性物質を分離するよう抽出クロマトグラフィーカラムに高レベル放射性廃液を供給する高レベル放射性廃液の供給方法であって、
前記高レベル放射性廃液を溜める供給タンクに第一供給ラインより高レベル放射性廃液を供給し、前記供給タンクに気体導入手段から圧縮気体を導入して前記抽出クロマトグラフィーカラムでの差圧に対応するよう高レベル放射性廃液に圧力を付与し、前記高レベル放射性廃液を気体導入手段に非接触で供給タンクから第二供給ラインを介して抽出クロマトグラフィーカラムへ供給することを特徴とする高レベル放射性廃液の供給方法。
【請求項２】
供給タンク内の高レベル放射性廃液の液位が低減した際には、気体導入手段による圧縮気体の導入を停止して抽出クロマトグラフィーカラムへの高レベル放射性廃液の供給を停止し、前記供給タンク内の気体圧力を外部へ逃がし、第一供給ラインにより供給タンク内に所定の液位まで高レベル放射性廃液を供給することを特徴とする請求項１記載の高レベル放射性廃液の供給方法。
【請求項３】
抽出クロマトグラフィーカラムの上方に設置された前記供給タンクへ高レベル放射性廃液を供給する際には、第一供給ラインに気体供給手段から気体を供給し、前記高レベル放射性廃液を気体供給手段に非接触で供給タンクへ供給することを特徴とする請求項１又は２に記載の高レベル放射性廃液の供給方法。
【請求項４】
供給タンクを複数備え、複数の供給タンクのうち一部の供給タンクが抽出クロマトグラフィーカラムへの高レベル放射性廃液の供給を行っている間に、少なくとも他の供給タンクへの高レベル放射性廃液の供給を行うことを特徴とする請求項１〜３のいずれかに記載の高レベル放射性廃液の供給方法。
【請求項５】
高レベル放射性廃液から高レベル放射性物質を分離し得る抽出クロマトグラフィーカラムと、
高レベル放射性廃液を供給する第一供給ラインに接続されて高レベル放射性廃液を溜め且つ前記抽出クロマトグラフィーカラムに第二供給ラインを介して接続される供給タンクと、
前記高レベル放射性廃液を供給タンクから抽出クロマトグラフィーカラムへ供給するよう供給タンクに圧縮気体を導入して高レベル放射性廃液に圧力を付与する気体導入手段とを備えたことを特徴とする高レベル放射性廃液の供給設備。
【請求項６】
供給タンク内の高レベル放射性廃液の液位を検知するよう供給タンクに配置された検知手段と、
該検知手段からの信号により気体導入手段による圧縮気体の導入を制御する開閉手段と、
圧縮気体の導入の停止後に供給タンク内の気体圧力を外部へ逃がし得る逃がし手段と、
該逃がし手段により供給タンク内の気体圧力を逃がした後に供給タンクへ高レベル放射性廃液を供給し且つ前記検知手段からの信号により供給タンクへの高レベル放射性廃液の供給を停止するよう第一供給ラインを開閉する第一供給ライン用開閉手段と、
を備えたことを特徴とする請求項５に記載の高レベル放射性廃液の供給設備。
【請求項７】
抽出クロマトグラフィーカラムの上方に設置された前記供給タンクへ高レベル放射性廃液を非接触で供給するよう、第一供給ラインに気体を供給する気体供給手段を備えた請求項５又は６に記載の高レベル放射性廃液の供給設備。
【請求項８】
供給タンクを複数備え、複数の供給タンクのうち一部の供給タンクが抽出クロマトグラフィーカラムへの高レベル放射性廃液の供給を行っている間に、少なくとも他の供給タンクへの高レベル放射性廃液の供給を行うよう切換手段を備えたことを特徴とする請求項５〜７のいずれかに記載の高レベル放射性廃液の供給設備。
【発明の詳細な説明】
【技術分野】
【０００１】
本発明は、高レベル放射性廃液から高レベル放射性物質を処理するための高レベル放射性廃液の供給方法及びその供給設備に関するものである。
【背景技術】
【０００２】
一般に、高レベル放射性廃液から高レベル放射性物質を分離する際には、複数の抽出剤を使用して高レベル放射性物質を抽出分離することが行われている。
【０００３】
しかし、アクチノイド等の性質が似通った高レベル放射性物質を抽出分離する際には、多くの抽出剤を用いると共に抽出分離工程を何度も行う必要があった。
【０００４】
このため、近年、所定の樹脂を充填した抽出クロマトグラフィーカラムに、高レベル放射性廃液を流して高レベル放射性物質を分離回収することが考えられている（特許文献１、２参照）。
【特許文献１】特開２０００−１２１６２１号公報
【特許文献２】特開平９−１１３６８９号公報
【発明の開示】
【発明が解決しようとする課題】
【０００５】
しかしながら、樹脂を充填した抽出クロマトグラフィーカラムに高レベル放射性廃液を流す際には、抽出クロマトグラフィーカラム内の大きな差圧に対応するよう、高レベル放射性廃液に高い圧力を付与して高レベル放射性廃液を供給する必要があり、高レベル放射性廃液をポンプにより直接圧送した場合には、高レベル放射性廃液の放射線によりポンプのシール部材や他の部材等が劣化し、前記ポンプ自体を頻繁に交換しなければならないという問題があった。また高レベル放射性廃液に高い圧力を付与するポンプは、シール部材等の劣化やポンプ自体の交換により、高レベル放射性廃液の供給を安定して行うことができないという問題があると共に、ポンプ自体の交換により大量の放射性廃棄物を生じるという問題があった。
【０００６】
本発明は、上記従来の問題点に鑑みてなしたもので、安定した操業を為しえると共に放射性廃棄物を低減する高レベル放射性廃液の供給方法及びその供給設備を提供することを目的とする。
【課題を解決するための手段】
【０００７】
本発明は、高レベル放射性廃液から高レベル放射性物質を分離するよう抽出クロマトグラフィーカラムに高レベル放射性廃液を供給する高レベル放射性廃液の供給方法であって、
前記高レベル放射性廃液を溜める供給タンクに第一供給ラインより高レベル放射性廃液を供給し、前記供給タンクに気体導入手段から圧縮気体を導入して前記抽出クロマトグラフィーカラムでの差圧に対応するよう高レベル放射性廃液に圧力を付与し、前記高レベル放射性廃液を気体導入手段に非接触で供給タンクから第二供給ラインを介して抽出クロマトグラフィーカラムへ供給することを特徴とする高レベル放射性廃液の供給方法、にかかるものである。
【０００８】
本発明の高レベル放射性廃液の供給方法において、供給タンク内の高レベル放射性廃液の液位が低減した際には、気体導入手段による圧縮気体の導入を停止して抽出クロマトグラフィーカラムへの高レベル放射性廃液の供給を停止し、前記供給タンク内の気体圧力を外部へ逃がし、第一供給ラインにより供給タンク内に所定の液位まで高レベル放射性廃液を供給しても良い。
【０００９】
気体
本発明の高レベル放射性廃液の供給方法において、抽出クロマトグラフィーカラムの上方に設置された前記供給タンクへ高レベル放射性廃液を供給する際には、第一供給ラインに気体供給手段から気体を供給し、前記高レベル放射性廃液を気体供給手段に非接触で供給タンクへ供給しても良い。
【００１０】
本発明の高レベル放射性廃液の供給方法において、供給タンクを複数備え、複数の供給タンクのうち一部の供給タンクが抽出クロマトグラフィーカラムへの高レベル放射性廃液の供給を行っている間に、少なくとも他の供給タンクへの高レベル放射性廃液の供給を行っても良い。
【００１１】
本発明は、高レベル放射性廃液から高レベル放射性物質を分離し得る抽出クロマトグラフィーカラムと、
高レベル放射性廃液を供給する第一供給ラインに接続されて高レベル放射性廃液を溜め且つ前記抽出クロマトグラフィーカラムに第二供給ラインを介して接続される供給タンクと、
前記高レベル放射性廃液を供給タンクから抽出クロマトグラフィーカラムへ供給するよう供給タンクに圧縮気体を導入して高レベル放射性廃液に圧力を付与する気体導入手段とを備えたことを特徴とする高レベル放射性廃液の供給設備、にかかるものである。
【００１２】
本発明の高レベル放射性廃液の供給設備において、供給タンク内の高レベル放射性廃液の液位を検知するよう供給タンクに配置された検知手段と、
該検知手段からの信号により気体導入手段による圧縮気体の導入を制御する開閉手段と、
圧縮気体の導入の停止後に供給タンク内の気体圧力を外部へ逃がし得る逃がし手段と、
該逃がし手段により供給タンク内の気体圧力を逃がした後に供給タンクへ高レベル放射性廃液を供給し且つ前記検知手段からの信号により供給タンクへの高レベル放射性廃液の供給を停止するよう第一供給ラインを開閉する第一供給ライン用開閉手段とを備えても良い。
【００１３】
本発明の高レベル放射性廃液の供給設備において、抽出クロマトグラフィーカラムの上方に設置された前記供給タンクへ高レベル放射性廃液を非接触で供給するよう、第一供給ラインに気体を供給する気体供給手段を備えても良い。
【００１４】
本発明の高レベル放射性廃液の供給設備において、供給タンクを複数備え、複数の供給タンクのうち一部の供給タンクが抽出クロマトグラフィーカラムへの高レベル放射性廃液の供給を行っている間に、少なくとも他の供給タンクへの高レベル放射性廃液の供給を行うよう切換手段を備えても良い。
【発明の効果】
【００１５】
本発明の高レベル放射性廃液の供給方法及びその供給設備によれば、高レベル放射性廃液を溜める供給タンクに気体導入手段から圧縮気体を導入して高レベル放射性廃液に圧力を付与し、高レベル放射性廃液を気体導入手段に非接触で抽出クロマトグラフィーカラムへ供給するので、高レベル放射性廃液を直接圧送するポンプの場合のようにシール部材や他の部材の劣化がなく、気体導入手段の交換を大幅に低減することができる。また、気体導入手段は、圧縮気体を介して高レベル放射性廃液に高い圧力を付与するので、ポンプのようなシール部材等の劣化や交換を抑制し、高レベル放射性廃液を抽出クロマトグラフィーカラムに適切に供給し、安定的な操業を行うことができると共に、放射性廃棄物の発生を抑制することができるという優れた効果を奏し得る。
【発明を実施するための最良の形態】
【００１６】
以下、本発明を実施する第一の形態例を図１を参照して説明する。
【００１７】
第一の形態例は、請求項１〜３，５〜７に対応するものであって、放射性物質の利用等により生じた高レベル放射性廃液を溜める廃液タンク１と、高レベル放射性廃液を内部に流す抽出クロマトグラフィーカラム２と、抽出クロマトグラフィーカラム２の上方に設置される供給タンク３と、抽出クロマトグラフィーカラム２の下方に設置される複数の処理廃液タンク４（図１では２個）と、廃液タンク１から供給タンク３へ接続されて高レベル放射性廃液を供給し得る第一供給ライン５と、供給タンク３から抽出クロマトグラフィーカラム２へ接続されて高レベル放射性廃液を供給し得る第二供給ライン６と、抽出クロマトグラフィーカラム２へ再抽出剤を供給し得る再抽出剤タンク７と、抽出クロマトグラフィーカラム２で処理した低レベル廃液を処理廃液タンク４へ排出する流下ライン８とを備えている。
【００１８】
抽出クロマトグラフィーカラム２は、高レベル放射性廃液からアクチノイド等の高レベル放射性物質を吸着分離し得る樹脂（図示せず）を内部に充填して構成されており、抽出クロマトグラフィーカラム２に高レベル放射性廃液を流す際には、水頭の圧力で数十ｍの高い差圧が必要になっている。ここで、抽出クロマトグラフィーカラム２に吸着分離される高レベル放射性物質は、アクチノイドの高レベル放射性物質のみでなく、他の高レベル放射性物質を含むものであっても良い。
【００１９】
供給タンク３には、気体導入ライン９が接続されると共に逃がしライン１０が接続されている。気体導入ライン９には、供給タンク３の内部に圧縮気体を導入し得る気体導入手段のコンプレッサ１１が配置されると共に、圧縮気体の導入を制御する開閉手段の第一バルブ１２が備えられている。また逃がしライン１０には、供給タンク３の気体をオフガス処理へ排出して供給タンク３内の気体圧力を外部へ逃がす逃がしバルブ１３が備えられている。更に供給タンク３には、高レベル放射性廃液の液位を検知する検知手段のレベル計１４が設置されている。ここで、検知手段はレベル計１４に限定されるものでなく、他の検知センサでも良い。また、気体導入手段は空気を導入しても良いし、窒素等の他の不活性ガスを導入しても良いし、特に限定されるものではない。
【００２０】
第一供給ライン５は、廃液タンク１の低位置から供給タンク３の高位置まで上下方向に延在する縦管の気体リフト１５を備え、気体リフト１５の下端には、廃液タンク１から延在する横管の入側ライン１６が接続されると共に、気体リフト１５の上端には、供給タンク３へ延在する横管の出側ライン１７が接続されている。また第一供給ライン５の気体リフト１５下端には、気体供給ライン１８が接続されており、気体供給ライン１８には、気体を供給する気体供給手段のブロワ１９が設置されると共に、気体の供給を制御する開閉手段の気体供給バルブ２０が備えられている。更に第一供給ライン５の出側ライン１７には、廃液タンク１からの高レベル放射性廃液の供給を制御する第一供給ライン用開閉手段の開閉バルブ２１が備えられている。ここで、気体供給ライン１８から供給される気体は空気でも良いし、窒素等の他の不活性ガスでも良いし、特に限定されるものではない。
【００２１】
第二供給ライン６は、供給タンク３の底部から抽出クロマトグラフィーカラム２の上部まで延在して接続され、中途位置に開閉手段の第二バルブ２２を備えている。
【００２２】
再抽出剤タンク７は、第二供給ライン６の第二バルブ２２下流側に接続される再抽出剤ライン２３を備え、再抽出剤ライン２３には、再抽出剤を圧送する圧送手段の再抽出剤用ポンプ２４が配置されると共に、再抽出剤の圧送を制御する再抽出剤用バルブ２５が備えられており、再抽出剤を再抽出剤タンク７から第二供給ライン６を介して抽出クロマトグラフィーカラム２へ供給するようになっている。
【００２３】
流下ライン８は、抽出クロマトグラフィーカラム２の底部から下方へ延在し、中途位置から第一分岐ライン８ａ、第二分岐ライン８ｂとに分岐し、第一分岐ライン８ａを一方の処理廃液タンク４ａに接続すると共に第二分岐ライン８ｂを他方の処理廃液タンク４ｂに接続している。また第一分岐ライン８ａには開閉手段の第一処理側バルブ２６ａが備えられており、第二分岐ライン８ｂには開閉手段の第二処理側バルブ２６ｂが備えられている。ここで、処理廃液タンク４の個数は２個に限定されるものでなく、分離した廃液を個別に溜めるならば特に限定されるものではない。
【００２４】
一方、第一バルブ１２、逃がしバルブ１３、気体供給バルブ２０、開閉バルブ２１、第二バルブ２２、再抽出剤用バルブ２５、第一処理側バルブ２６ａ、第二処理側バルブ２６ｂは、全て、制御部（図示せず）に接続されており、制御部は、検知手段のレベル計１４からの信号を受けて第一バルブ１２、逃がしバルブ１３、気体供給バルブ２０、開閉バルブ２１、第二バルブ２２、再抽出剤用バルブ２５、第一処理側バルブ２６ａ、第二処理側バルブ２６ｂを制御するようになっている。
【００２５】
以下、本発明の高レベル放射性廃液の供給方法及びその供給設備を実施する第一の形態例の作用を説明する。
【００２６】
高レベル放射性廃液を抽出クロマトグラフィーカラム２で処理する際には、初めに、制御部により第一バルブ１２、第二バルブ２２を閉止した状態で、逃がしバルブ１３、気体供給バルブ２０、開閉バルブ２１を開放して気体供給手段のブロワ１９から気体を気体リフト１５の下部に供給し、廃液タンク１に溜めた高レベル放射性廃液を、第一供給ライン５の気体リフト１５により廃液タンク１の低位置から供給タンク３の高位置まで持ち上げ、出側ライン１７を介して供給タンク３に供給する。
【００２７】
供給タンク３内の高レベル放射性廃液の液位が所定位置に達した際には、レベル計１４で高レベル放射性廃液の液位を検知し、レベル計１４からの信号により制御部を介して気体供給バルブ２０、開閉バルブ２１、逃がしバルブ１３を閉止し、高レベル放射性廃液の供給タンク３への供給を停止する。
【００２８】
次に第一バルブ１２、第二バルブ２２を開放して気体導入手段のコンプレッサ１１から圧縮気体を供給タンク３に導入し、抽出クロマトグラフィーカラム２での差圧に対応するよう高レベル放射性廃液に圧力を付与し、抽出クロマトグラフィーカラム２へ高レベル放射性廃液を供給する。
【００２９】
抽出クロマトグラフィーカラム２では、高レベル放射性廃液中の高レベル放射性物質を内部の樹脂に吸着させ、低レベル放射性廃液を流下ライン８へ排出する。その後、制御部により第一処理側バルブ２６ａを開放すると共に第二処理側バルブ２６ｂを閉止した状態で、流下ライン８及び第一分岐ライン８ａを介して低レベル放射性廃液を第一の処理廃液タンク４に流下させる。
【００３０】
抽出クロマトグラフィーカラム２に所定量の高レベル放射性廃液を流した後は、第一バルブ１２、第二バルブ２２を閉止して再抽出剤用バルブ２５を開放し、再抽出剤タンク７から再抽出剤を抽出クロマトグラフィーカラム２へ供給する。抽出クロマトグラフィーカラム２では、樹脂に吸着した高レベル放射性物質を再抽出剤により抽出し、高レベル放射性物質を含む再抽出液を流下ライン８へ排出する。その後、第一処理側バルブ２６ａを閉止すると共に第二処理側バルブ２６ｂを開放した状態で、流下ライン８及び第二分岐ライン８ｂを介して再抽出済みの再抽出液を第二の処理廃液タンク４に流下させる。ここで、抽出クロマトグラフィーカラム２は、再抽出の際に、抽出の時間差や再抽出剤の種類により複数の高レベル放射性物質を分離して排出し得るので、分岐ライン、処理廃液タンクを更に増やして対応しても良い。
【００３１】
一方、供給タンク３から抽出クロマトグラフィーカラム２へ高レベル放射性廃液を供給し、供給タンク３内の高レベル放射性廃液の液位が所定位置に低減した際には、レベル計１４で高レベル放射性廃液の液位を検知し、制御部を介して第一バルブ１２、第二バルブ２２を閉止することにより、供給タンク３への圧縮気体の導入を停止し且つ抽出クロマトグラフィーカラム２への高レベル放射性廃液の供給を停止する。更に逃がしバルブ１３を開放し、逃がしライン１０より供給タンク３内の気体をオフガス処理へ排出して供給タンク３内の気体圧力を外部へ逃がし、気体供給バルブ２０、開閉バルブ２１の開放に伴って最初の段階と同様に供給タンク３へ高レベル放射性廃液を供給する。
【００３２】
その後、供給タンク３から抽出クロマトグラフィーカラム２への高レベル放射性廃液の供給、及び廃液タンク１から供給タンク３への高レベル放射性廃液の供給を繰り返して廃液タンク１内の高レベル放射性廃液を処理する。
【００３３】
このように、第一の形態例の高レベル放射性廃液の供給方法及びその供給設備によれば、高レベル放射性廃液を溜める供給タンク３に気体導入手段のコンプレッサ１１から圧縮気体を導入して高レベル放射性廃液に圧力を付与し、高レベル放射性廃液をコンプレッサ１１に非接触で抽出クロマトグラフィーカラム２へ供給するので、高レベル放射性廃液を直接圧送するポンプの場合のようにシール部材や他の部材等の劣化がなく、コンプレッサ１１自体の交換を大幅に低減することができる。また、気体導入手段のコンプレッサ１１は、圧縮気体を介して高レベル放射性廃液に高い圧力を付与するので、ポンプのようなシール部材等の劣化やコンプレッサ１１自体の交換を抑制し、高レベル放射性廃液を抽出クロマトグラフィーカラム２に適切に供給し、安定的な操業を行うことができると共に放射性廃棄物の発生を抑制することができる。
【００３４】
第一の形態例の高レベル放射性廃液の供給方法及びその供給設備において、供給タンク３内の高レベル放射性廃液の液位を検知するよう供給タンク３に配置された検知手段のレベル計１４と、レベル計１４からの信号により気体導入手段のコンプレッサ１１による圧縮気体の導入を制御する開閉手段の第一バルブ１２と、圧縮気体の導入の停止後に供給タンク内の気体圧力を外部へ逃がし得る逃がし手段の逃がしバルブ１３と、逃がしバルブ１３により供給タンク内の気体圧力を逃がした後に供給タンク３へ高レベル放射性廃液を供給し且つレベル計１４からの信号により供給タンク３への高レベル放射性廃液の供給を停止するよう第一供給ライン５を開閉する第一供給ライン用開閉手段の開閉バルブ２１とを備えると、高レベル放射性廃液を供給タンク３に好適に供給し得るので、高レベル放射性廃液を抽出クロマトグラフィーカラム２に一層適切に供給し、安定的な操業を行うことができる。
【００３５】
第一の形態例の高レベル放射性廃液の供給方法及びその供給設備において、抽出クロマトグラフィーカラム２の上方に設置された供給タンク３へ高レベル放射性廃液を供給する際には、第一供給ライン５に気体供給手段のブロワ１９から気体を供給し、高レベル放射性廃液をブロワ１９に非接触で供給タンク３へ供給すると、ポンプのようなシール部材等の劣化やブロワ１９自体の交換を抑制し、高レベル放射性廃液を抽出クロマトグラフィーカラム２に一層適切に供給し、安定的な操業を行うことができると共に放射性廃棄物の発生を抑制することができる。
【００３６】
以下、本発明を実施する第二の形態例を図２を参照して説明する。図１と同一の符号を付した部分は同一物を表わしている。
【００３７】
第二の形態例は、請求項４、８に対応するものであって、第一の形態例の供給タンク３の個数を変更したものであり、第二の形態例の供給タンク３は、抽出クロマトグラフィーカラム２の上方に複数個（図２では２個）配置されている。
【００３８】
夫々の供給タンク３ａ，３ｂには、圧縮気体を導入し得る気体導入ライン９が接続されており、気体導入ライン９は、供給タンク３ａ，３ｂの内部に圧縮気体を導入し得る気体導入手段のコンプレッサ１１を備え、且つ中途位置から分岐して、一方の供給タンク３ａに接続される一方の気体導入ライン９ａと、他方の供給タンク３ｂに接続される他方の気体導入ライン９ｂと有している。また一方の気体導入ライン９には、圧縮気体の導入を制御する切換手段の一方の第一バルブ１２ａが備えられると共に、他方の気体導入ライン９には、圧縮気体の導入を制御する切換手段の他方の第一バルブ１２ｂが備えられている。
【００３９】
また夫々の供給タンク３ａ，３ｂには逃がしライン１０が接続されており、逃がしライン１０には、供給タンク３ａ，３ｂの気体をオフガス処理へ排出して供給タンク３ａ，３ｂ内の気体圧力を外部へ逃がす逃がしバルブ１３が備えられている。更に夫々の供給タンク３ａ，３ｂには、高レベル放射性廃液の液位を検知する検知手段のレベル計１４が設置されている。ここで、検知手段はレベル計１４に限定されるものでなく、他の検知センサでも良い。
【００４０】
第一供給ライン５は、廃液タンク１の低位置から夫々の供給タンク３ａ，３ｂの高位置まで上下方向に延在する縦管の気体リフト１５を備え、気体リフト１５の下端には、廃液タンク１から延在する横管の入側ライン１６が接続されると共に、気体リフト１５の上端には、夫々の供給タンク３ａ，３ｂへ分岐して接続される二本の横管の出側ライン１７ａ，１７ｂが配置されている。第一供給ライン５の入側ライン１６には、気体供給ライン１８が接続されており、気体供給ライン１８には、気体を供給する気体供給手段のブロワ１９が設置されると共に、気体の供給を制御する開閉手段の気体供給バルブ２０が備えられている。また第一供給ライン５の一方の出側ライン１７ａには、一方の供給タンク３ａへの高レベル放射性廃液の供給を制御する切換手段の一方の開閉バルブ２１ａが備えられており、第一供給ライン５の他方の出側ライン１７ｂには、他方の供給タンク３ｂへの高レベル放射性廃液の供給を制御する切換手段の他方の開閉バルブ２１ｂが備えられている。
【００４１】
第二供給ライン６は、一方の供給タンク３ａの底部から抽出クロマトグラフィーカラム２の上部まで延在して接続される一方の第二供給ライン６ａと、他方の供給タンク３ｂの底部から抽出クロマトグラフィーカラム２の上部まで延在して接続される他方の第二供給ライン６ｂとを備えており、一方の第二供給ライン６ａ及び他方の第二供給ライン６ｂには、切換手段の一方の第二バルブ２２ａ、他方の第二バルブ２２ｂが備えられている。
【００４２】
また第二供給ライン６は、一方の第二バルブ２２ａ、他方の第二バルブ２２ｂの下流側位置に、再抽出剤タンク７から延在する再抽出剤ライン２３を夫々接続しており、再抽出剤ライン２３は、圧送手段の再抽出剤用ポンプ２４を配置し、且つ下流側の中途位置から分岐して、一方の第二供給ライン６に接続される一方の再抽出剤ライン２３ａと、他方の第二供給ライン６に接続される他方の再抽出剤ライン２３ｂとを有している。一方の再抽出剤ライン２３ａ及び他方の再抽出剤ライン２３ｂには、切換手段の一方の再抽出剤用バルブ２５ａ、他方の再抽出剤用バルブ２５ｂが備えられている。
【００４３】
一方、第一バルブ１２ａ，１２ｂ、逃がしバルブ１３、気体供給バルブ２０、開閉バルブ２１ａ，２１ｂ、第二バルブ２２ａ，２２ｂ、再抽出剤用バルブ２５ａ，２５ｂ、第一処理側バルブ２６ａ、第二処理側バルブ２６ｂは、全て、制御部（図示せず）に接続されており、制御部は、検知手段のレベル計１４からの信号を受けて第一バルブ１２ａ，１２ｂ、逃がしバルブ１３、気体供給バルブ２０、開閉バルブ２１ａ，２１ｂ、第二バルブ２２ａ，２２ｂ、再抽出剤用バルブ２５ａ，２５ｂ、第一処理側バルブ２６ａ、第二処理側バルブ２６ｂを制御するようになっている。
【００４４】
以下、本発明の高レベル放射性廃液の供給方法及びその供給設備を実施する第二の形態例の作用を説明する。
【００４５】
高レベル放射性廃液を抽出クロマトグラフィーカラム２で処理する際には、いずれか片方の供給タンク３ａ，３ｂを使用して高レベル放射性廃液を抽出クロマトグラフィーカラム２へ供給し、第一の形態例と同様に高レベル放射性廃液を処理する。
【００４６】
ここで、一方の供給タンク３ａから抽出クロマトグラフィーカラム２への高レベル放射性廃液の供給を行う際には、制御部により他方の開閉バルブ２１ｂを閉止し且つ一方の開閉バルブ２１を開放して他方の出側ライン１７ｂから一方の出側ライン１７ａへ切り替え、一方の供給タンク３ａにより高レベル放射性廃液を抽出クロマトグラフィーカラム２へ供給する。同時に他方の第一バルブ１２ｂ、逃がしバルブ１３、他方の第二バルブ２２ｂ、他方の再抽出剤用バルブ２５ｂを用いて他方の供給タンク３ｂへ高レベル放射性廃液を供給する。
【００４７】
その後、一方の供給タンク３ａから抽出クロマトグラフィーカラム２への高レベル放射性廃液の供給を停止した際には、制御部により一方の開閉バルブ２１ａを閉止し且つ他方の開閉バルブ２１ｂを開放して一方の出側ライン１７ａから他の出側ライン１７ｂへ切り替え、他方の供給タンク３ｂにより高レベル放射性廃液を抽出クロマトグラフィーカラム２へ供給する。同時に、一方の第一バルブ１２ａ、逃がしバルブ１３、一方の第二バルブ２２ａ、一方の再抽出剤用バルブ２５ａを用いて一方の供給タンク３ａへ高レベル放射性廃液を供給する。
【００４８】
これにより、一方の供給タンク３ａと他方の供給タンク３ｂを交互に使用し、高レベル放射性廃液の供給を停止することなく、連続的に供給する。ここで、供給タンク３ａ，３ｂの個数は２個に限定されるものではなく、高レベル放射性廃液を連続的に処理し得るならば特に制限されるものではない。
【００４９】
このように、第二の形態例の高レベル放射性廃液の供給方法及びその供給設備によれば、第一の形態例と同様な作用効果を得ることができる。また供給タンク３ａ，３ｂを複数備え、複数の供給タンク３ａ，３ｂのうち一部の供給タンク３ａ（３ｂ）が抽出クロマトグラフィーカラム２への高レベル放射性廃液の供給を行っている間に、少なくとも他の供給タンク３ｂ（３ａ）への高レベル放射性廃液の供給を行うよう切換手段の開閉バルブ２１ａ、開閉バルブ２１ｂ、第二バルブ２２ａ、第二バルブ２２ｂを備えると、一方の供給タンク３ａと他方の供給タンク３ｂを交互に使用するので、連続的に高レベル放射性廃液を供給し、極めて安定的な操業を行うことができる。
【００５０】
なお、本発明の高レベル放射性廃液の供給方法及びその供給設備は、廃液タンク、ブロワ、気体リフト等を設けることなく、供給タンクを廃液タンクの場所に配置し、コンプレッサの圧縮気体により、直接、抽出クロマトグラフィーカラムに供給するようにしても良いこと、その他、本発明の要旨を逸脱しない範囲内において種々変更を加え得ることは勿論である。
【図面の簡単な説明】
【００５１】
【図１】本発明の第一の形態例を示す側面図である。
【図２】本発明の第二の形態例を示す側面図である。
【符号の説明】
【００５２】
２    抽出クロマトグラフィーカラム
３    供給タンク
３ａ  供給タンク
３ｂ  供給タンク
５    第一供給ライン
６    第二供給ライン
６ａ  第二供給ライン
６ｂ  第二供給ライン
１０    逃がしライン（逃がし手段）
１１    コンプレッサ（気体導入手段）
１２    第一バルブ（開閉手段）
１２ａ  第一バルブ（開閉手段）
１２ｂ  第一バルブ（開閉手段）
１３    逃がしバルブ（逃がし手段）
１４    レベル計（検知手段）
１８    気体供給ライン
１９    ブロワ（気体供給手段）
２０    気体供給バルブ（気体供給手段）
２１    開閉バルブ（第一供給ライン開閉手段）
２１ａ  開閉バルブ（切換手段）
２１ｂ  開閉バルブ（切換手段）
２２ａ  第二バルブ（切換手段）
２２ｂ  第二バルブ（切換手段）
【図１】
2010002312.tif 000003
【図２】
2010002312.tif 000004